【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
吸込み口と吹き出し口を有する本体ケースに、前記吸込み口と前記吹き出し口との間に通気風路を形成し、該通気風路内の上流側に多数の細孔を有するシート状のフィルターと枠体で形成されたフィルター体と下流側に送風機とをそれぞれ備えた空気調和機を構成するフィルター体であって、前記フィルターは、前記枠体の上流側から着脱自在となるように、該フィルターの外周囲が前記枠体に保持され、少なくとも、前記フィルター体の廃棄時において、容易に前記フィルターと前記枠体とを分解可能としたことを特徴とする空気調和機のフィルター体。
【請求項２】
フィルターと枠体とを異材質で形成したことを特徴とする請求項１に記載の空気調和機のフィルター体。
【請求項３】
フィルターは、略ノコギリ刃形状としたことを特徴とする請求項１又は２に記載の空気調和機のフィルター体。
【請求項４】
フィルターは、薄板状の金属板または金網で形成し、枠体は樹脂で形成したことを特徴とする請求項１〜３のいずれか１項に記載の空気調和機のフィルター体。
【請求項５】
枠体には複数の突起を一体的に形成し、該突起をフィルターに形成した取付け穴を貫通して前記フィルターに熱溶着させ、前記フィルターと前記枠体とを熱溶着固定したことを特徴とする請求項１〜４のいずれか１項に記載の空気調和機のフィルター体。
【請求項６】
枠体には複数の突起を一体的に形成し、該突起には螺子または弾性体により形成された留めナット等を取付け、フィルターを前記枠体と前記螺子または留めナット等によりサンドイッチ状に固定したことを特徴とする請求項１〜５のいずれか１項に記載の空気調和機のフィルター体。
【請求項７】
枠体には、可動自在に形成された複数の固定片を設け、該固定片をフィルターに形成した取付穴に強制挿入させ、前記フィルターと枠体とを着脱自在に取り付けたことを特徴とする請求項１〜４のいずれか１項に記載の空気調和機のフィルター体。
【請求項８】
枠体は、複数の取付枠で形成されてあることを特徴とする請求項１〜７のいずれか１項に記載の空気調和機のフィルター体。
【請求項９】
枠体とフィルターとの接合面には軟質部材よりなるシール体を介在したことを特徴とする請求項１〜８のいずれか１項に記載の空気調和機のフィルター体。
【請求項１０】
枠体とフィルターとの接合面には、微小シール突起帯を形成し、該微小シール突起帯を前記フィルターに当接させてあることを特徴とする請求項１〜９のいずれか１項に記載の空気調和機のフィルター体。
【請求項１１】
フィルター体は、複数のフィルター片の集合体とし、前記各フィルター片を分離自在に構成したことを特徴とする請求項１〜１０のいずれか１項に記載の空気調和機のフィルター体。
【請求項１２】
フィルターは、エッチング処理にて、多数の細孔を形成し、その開口率を５０％以上としたこと特徴とする請求項３〜１１のいずれか１項に記載の空気調和機のフィルター体。
【請求項１３】
フィルターの細孔はプレス加工処理され、その開口率を５０％以上とし、且つ前記プレス加工によって形成されるバリ面を下流側に位置させたことを特徴とする請求項３〜１１のいずれか１項に記載の空気調和機のフィルター体。
【請求項１４】
フィルター体の上流面に接触して塵埃を捕獲する捕獲ブラシと、該捕獲ブラシにより捕獲した塵埃を収納する収塵室とを備え、前記フィルター体または前記捕獲ブラシのいずれかを、駆動体により可動可能に形成したことを特徴とする請求項１〜１３のいずれか１項に記載の空気調和機のフィルター体を備えてある空気調和機。
【請求項１５】
吸込み口と吹き出し口を有する本体ケースと、前記吸込み口と前記吹き出し口との間に形成された通気風路と、該通気風路内の上流側に形成された請求項１〜１４のいずれか１項に記載の空気調和機のフィルター体と、下流側に送風機とを備えてあることを特徴とする空気調和機。
【手続補正２】
【補正対象書類名】明細書
【補正対象項目名】００１０
【補正方法】変更
【補正の内容】
【００１０】
本発明は、上記課題を解決するためになされたものであり、請求項１の発明は、吸込み口と吹き出し口を有する本体ケースに、前記吸込み口と前記吹き出し口との間に通気風路を形成し、該通気風路内の上流側に多数の細孔を有するシート状のフィルターと枠体で形成されたフィルター体と下流側に送風機とをそれぞれ備えた空気調和機を構成するフィルター体であって、前記フィルターは、前記枠体の上流側から着脱自在となるように、該フィルターの外周囲が前記枠体に保持され、少なくとも、前記フィルター体の廃棄時において、容易に前記フィルターと前記枠体とを分解可能としたことに特徴を有する。したがって、廃棄時に分離でき、再利用を図ることができるので、二酸化炭素の発生を減少させ、地球温暖化による地球環境の悪化を防ぐことができる。
【手続補正３】
【補正対象書類名】明細書
【補正対象項目名】００１４
【補正方法】変更
【補正の内容】
【００１４】
請求項５の発明は、請求項１〜４のいずれかの空気調和機のフィルター体において、枠体には複数の突起を一体的に形成し、該突起をフィルターに形成した取付け穴を貫通して前記フィルターに熱溶着させ、前記フィルターと前記枠体とを熱溶着固定したことに特徴を有する。したがって、枠体を樹脂製で構成し、該枠体に複数の突起を一体的に形成し、該突起をフィルターに形成した取付穴に挿入し、熱溶融することで、フィルターと枠体とを容易に溶着固定でき、使用時はその機能を発揮させることができ、廃棄時には、例えば、工具（ニッパー等）で容易に溶着箇所を破断処理できるので、異材質部品の分別作業を容易で確実に行うことができる。
また、フィルターが金網の場合は、前記取付け穴を設けることなく、金網の穴部に合わせて突起の外形を決めれば良い。
【手続補正４】
【補正対象書類名】明細書
【補正対象項目名】００１５
【補正方法】変更
【補正の内容】
【００１５】
請求項６の発明は、請求項１〜５のいずれかの空気調和機のフィルター体において、枠体には複数の突起を一体的に形成し、該突起には螺子または弾性体により形成された留めナット等を取付け、フィルターを前記枠体と前記螺子または留めナット等によりサンドイッチ状に固定したことに特徴を有する。したがって、枠体を樹脂製で構成し、該枠体に複数の突起を一体的に形成し、前記突起に、螺子の挿入や弾性体で構成された留めナット（スピードナット）を強制圧入することで、前記螺子や留めナットによりフィルターと枠体とを固定すると共に、その廃棄時には、ドライバーで螺子を緩めて外したり、前記突起を例えば、工具（ニッパー等）で切断することで、容易に異材質部品の分別作業が可能となる。
【手続補正５】
【補正対象書類名】明細書
【補正対象項目名】００１６
【補正方法】変更
【補正の内容】
【００１６】
請求項７の発明は、請求項１〜４のいずれかの空気調和機のフィルター体において、枠体には、可動自在に形成された複数の固定片を設け、該固定片をフィルターに形成した取付穴に強制挿入させ、前記フィルターと枠体とを着脱自在に取り付けたことに特徴を有する。したがって、枠体を樹脂製で構成し、該枠体の下面との間にフィルターの厚さ分の隙間を有するように、可動自在に形成された複数の固定片を設け、前記枠体の下面に沿ってフィルターを挿入することで、前記隙間にフィルターが入り込み、前記フィルターに形成した取付穴に固定片が強制挿入させて、フィルターと枠体が一体化される。フィルター体の廃棄時においては、固定片を、押圧して取付穴から外すことで、フィルターと枠体の異材質部品の分別作業が容易に可能となる。
【手続補正６】
【補正対象書類名】明細書
【補正対象項目名】００１７
【補正方法】変更
【補正の内容】
【００１７】
請求項８の発明は、請求項１〜７のいずれかの空気調和機のフィルター体において、枠体は、複数の取付枠で形成されてあることに特徴を有する。したがって、枠体は、複数で構成することで、枠体を溶着等で組み合わせることが可能となり、大きな枠体を一体的に成形する必要がなく、金型の大型化及び部品の持ち運び等が改善される。また、一般的にフィルター体の形状は長方形が多いが、少なくとも対向する枠体を、同形状とすることができたりして、部品の共有化にも役立つ。
【手続補正７】
【補正対象書類名】明細書
【補正対象項目名】００１８
【補正方法】変更
【補正の内容】
【００１８】
請求項９の発明は、請求項１〜８のいずれかの空気調和機のフィルター体において、枠体とフィルターとの接合面には軟質部材よりなるシール体を介在したことに特徴を有する。したがって、枠体とフィルターとが接合する略全周囲間に、軟質材より成るシール部品を、介在させることで、枠体とフィルターとの接合面に、塵埃が入り込むことを防止できるので、確実に塵埃を捕獲ブラシで清掃できる。
【手続補正８】
【補正対象書類名】明細書
【補正対象項目名】００１９
【補正方法】変更
【補正の内容】
【００１９】
請求項１０の発明は、請求項１〜９のいずれかの空気調和機のフィルター体において、枠体とフィルターとの接合面には、微小シール突起帯を形成し、該微小シール突起帯を前記フィルターに当接させてあることに特徴を有する。したがって、枠体に微小シール突起帯を一体的に形成することで、枠体とフィルターの固定の際、微小シール突起帯は、フィルターに強制的に潰され、そのシール性が向上して、枠体とフィルターとの接合面に、塵埃が入り込むことを防止できる。
【手続補正９】
【補正対象書類名】明細書
【補正対象項目名】００２０
【補正方法】変更
【補正の内容】
【００２０】
請求項１１の発明は、請求項１〜１０のいずれかの空気調和機のフィルター体において、フィルター体は、複数のフィルター片の集合体とし、前記各フィルター片を分離自在に構成したことに特徴を有する。したがって、例えば、大きさの異なるエアコンをラインにて製造の場合は、その製品の大きさが一定ではないため、フィルター体の大きさもそれぞれ異なるが、所定の大きさのフィルター片をベースにしておき、該フィルター片を着脱自在に接合できるように構成することで、製品毎にそれぞれフィルター体を新規に製造する必要がなく、フィルター片を複数接合固定するだけで対応することができ、金型の大型化も防止できると共に、その解体作業も容易である。
【手続補正１０】
【補正対象書類名】明細書
【補正対象項目名】００２１
【補正方法】変更
【補正の内容】
【００２１】
請求項１２の発明は、請求項３〜１１のいずれかの空気調和機のフィルター体において、フィルターは、エッチング処理にて、多数の細孔を形成し、その開口率を５０％以上としたことに特徴を有する。したがって、フィルターは、孔の径が小さく、数が多いほど、その効率が良いものであるため、エッチッグ処理することで、開口率も５０％以上可能となり、通過風量も多くでき、送風機に対し負荷の減少が図れる。すなわち長寿命も期待できる。
【手続補正１１】
【補正対象書類名】明細書
【補正対象項目名】００２２
【補正方法】変更
【補正の内容】
【００２２】
請求項１３の発明は、請求項３〜１１のいずれかの空気調和機のフィルター体において、フィルターの細孔はプレス加工処理され、その開口率を５０％以上とし、且つ前記プレス加工によって形成されるバリ面を下流側に位置させたことに特徴を有する。したがって、フィルターを金属板で構成し、その強度ＵＰを図ると共に、プレス加工にて穴を開ける場合、バリ面を下流側に形成することで、塵埃がバリに引っかかり、除塵体の除塵効率を低下させることがない。
【手続補正１２】
【補正対象書類名】明細書
【補正対象項目名】００２３
【補正方法】変更
【補正の内容】
【００２３】
請求項１４の発明は、フィルター体の上流面に接触して塵埃を捕獲する捕獲ブラシと、該捕獲ブラシにより捕獲した塵埃を収納する収塵室とを備え、前記フィルター体または前記捕獲ブラシのいずれかを、駆動体により可動可能に形成したことを特徴とする請求項１〜１３のいずれか１項に記載の空気調和機のフィルター体を備えてある空気調和機に特徴を有する。したがって、フィルター体の上流側に当接して、フィルターに捕集された塵埃を捕獲する捕獲ブラシと、前記捕獲された塵埃を収納する塵埃収納室とを設けることで、フィルター体は常時清潔で、その機能は維持される。すなわち使用者が、フィルターに堆積された塵埃を掃除する手間が省ける。なお、フィルター体の上流面全体を、除塵するためにフィルター体あるいは捕獲ブラシを、モーター等の可動体により可動させることで、その効率が向上する。
また、捕獲ブラシと塵埃収納室は、上記のように分離しても、一体的に構成して、塵埃捕集体としても良い。
【手続補正１３】
【補正対象書類名】明細書
【補正対象項目名】００２５
【補正方法】変更
【補正の内容】
【００２５】
請求項１の発明では、廃棄時に分離でき、再利用を図ることができるので、二酸化炭素の発生を減少させ、地球温暖化による地球環境の悪化を防ぐことができる。また、請求項２の発明では、フィルター体の廃棄時に容易に分離することができる。また、請求項３の発明では、フィルターの有効面積を大きくすることが可能となる。また、請求項４の発明では、フィルターの薄板化が可能で、除塵効率を向上させることができる。また、請求項５の発明では、フィルターと枠体とを容易に溶着固定することができる。また、請求項６及び７の発明では、容易に異材質部品の分別作業を行なうことができる。また、請求項８の発明では、大きな枠体を一体的に成形する必要がなく、金型の大型化を防ぎ、部品の持ち運びも容易となる。また、請求項９及び１０の発明では、枠体とフィルターとの接合面に、塵埃が入り込むことを防止できる。また、請求項１１の発明では、製品毎にそれぞれフィルター体を新規に製造する必要がなく、フィルター片を複数接合固定するだけで対応することができ、金型の大型化も防止できると共に、その解体作業も容易とすることができる。また、請求項１２の発明では、通過風量を多くすることができ、送風機に対する負荷の減少を図ることができる。また、請求項１３の発明では、フィルターを金属板で構成し、その強度ＵＰを図ることができると共に、プレス加工にて穴を開ける場合、バリ面を下流側に形成することで、塵埃がバリに引っかかり、除塵体の除塵効率を低下させることを防ぐことができる。また、請求項１４の発明では、使用者が、フィルターに堆積された塵埃を掃除する手間を省くことができる。さらに、請求項１５の発明では、空気調和機のフィルター体の廃棄時に、フィルターと枠体とが容易に分離することができ、再利用を可能にすることから二酸化炭素の発生を減少させ、地球温暖化による地球環境の悪化を防ぐことができる。